(57)【要約】【課題】  岩盤における不飽和域の生成の有無や、不飽和が生じた場合における分布状況等を正確に把握するために、岩盤の亀裂密度と飽和度とを精度良く推定する。【解決手段】  岩盤におけるＳ波速度と亀裂密度との関係を表す第１の関係、Ｐ波速度と亀裂密度と飽和度との関係を表す第２の関係、比抵抗値と飽和度との関係を表す第３の関係をそれぞれ予め求めておく。岩盤に対して弾性波トモグラフィおよび比抵抗トモグラフィによる計測と解析を行ってＳ波速度、Ｐ波速度、比抵抗値をそれぞれ測定し、第１の関係に基づいて亀裂密度を算定し、第２の関係に基づいて飽和度の第１算定値を算定し、第３の関係に基づいて飽和度の第２算定値を算定する。第１〜第３の関係を微修正しつつ第１算定値と第２算定値の算定を繰り返してその誤差を一定範囲内に収斂させる。【選択図】      図１
2006234740.tif 000002
【特許請求の範囲】
【請求項１】
岩盤の亀裂密度および飽和度を推定するための方法であって、
岩盤におけるＳ波速度と亀裂密度との関係を表す第１の関係、Ｐ波速度と亀裂密度と飽和度との関係を表す第２の関係、比抵抗値と飽和度との関係を表す第３の関係をそれぞれ予め求めておき、
推定対象の岩盤に対して弾性波トモグラフィおよび比抵抗トモグラフィによる計測と解析を行って岩盤のＳ波速度、Ｐ波速度、比抵抗値をそれぞれ測定し、
Ｓ波速度の測定値から前記第１の関係に基づいて亀裂密度を算定し、
亀裂密度の推定値とＰ波速度の測定値から前記第２の関係に基づいて飽和度の第１算定値を算定するとともに、比抵抗値の測定値から前記第３の関係に基づいて飽和度の第２算定値を算定し、それら第１算定値と第２算定値とを比較してその差が一定範囲を越えている場合には前記第１〜第３の関係を微修正しつつ第１算定値と第２算定値の算定を繰り返してその差を一定範囲内に収斂させることを特徴とする岩盤の亀裂密度と飽和度の推定方法。
【発明の詳細な説明】
【技術分野】
【０００１】
本発明は岩盤の亀裂密度と飽和度を推定するための方法に関する。
【背景技術】
【０００２】
近年、原油や液化石油ガス、液化天然ガス等の石油類の岩盤内貯蔵方式として、図５に示すような水封式による岩盤内圧力貯蔵方式が一般的になりつつある。これは、地下岩盤に設けた岩盤タンク１を貯槽として貯蔵物を貯蔵するとともに、その周辺の地下水圧による地下水流の動水勾配によって貯蔵物を岩盤タンク１内に封じ込めて周囲への漏洩を防止するものである。このような水封式の岩盤内圧力貯蔵方式においては、自然の地下水圧のみで十分な水封圧を確保できない場合には人工水封方式が採用される。人工水封方式は岩盤タンク１の上方や周囲に設けた多数の水封ボーリング孔から岩盤タンク１まわりに人工的に給水して水封カーテンを形成することにより、自然地下水圧の不足を人工的に補って地下水圧を維持することで水封をより確実にするものである。
【０００３】
ところで、上述のような水封式の地下岩盤内圧力貯蔵方式は、自然あるいは人工の地下水圧の水頭ｈ（m）が貯蔵物の設計貯蔵圧力Ｐ（kgf/cm２）より高い（つまり、ｈ＞１０Ｐ）ことが前提となるが、その場合において地下水圧による水封機能が有効に成立するためには地下水位以深においては岩盤タンク１の周辺岩盤は地下水で飽和されていることが条件となり、地下水位が岩盤タンク１よりも高い場合であっても岩盤タンク１周辺の岩盤が不飽和であると十分かつ安定な水封機能が望めるものではない。したがって、この種の貯蔵施設においては、岩盤タンク１の周辺地盤が常に地下水で飽和状態に保たれて不飽和が生じていないかどうかを調査し確認することが重要な管理項目となる。
【０００４】
そのため、従来においては岩盤タンク１の周囲に調査用ボーリング孔を設けてそこに中性子水分計等を挿入して飽和度を直接的に測定することが考えられている。また、たとえば特許文献１のように岩盤の比抵抗を測定することでその飽和度を推定したり、さらには特許文献２のように電磁波トモグラフィによって岩盤の不飽和域をモニタリングするという手法も提案されている。
【特許文献１】特開２００１−４５７６号公報
【特許文献２】特開２００４−９３３９７号公報
【発明の開示】
【発明が解決しようとする課題】
【０００５】
しかし、いずれにしても岩盤内の不飽和領域の有無を確認し得る有効適切な調査手法は現在のところ確立されておらず、水分計等による直接計測の場合はもとより、特許文献１や特許文献２に示される推定手法によることでも飽和度を精度良くしかも広範囲にわたって推定できるものではない。そのため、従来におけるこの種の施設における岩盤タンクの水封機能の健全性は、周辺地下水位や水圧の分布状況、岩盤タンク内の貯蔵圧や液面変化等の貯蔵状況、周囲への漏出状況等を観測することで間接的に確認せざるを得ないのが実情である。
【０００６】
上記事情に鑑み、本発明は岩盤における不飽和域の生成の有無や、不飽和が生じた場合における分布状況等を正確に把握するために、岩盤の亀裂密度と飽和度とを精度良く推定し得る有効適切な手法を確立することを目的としている。
【課題を解決するための手段】
【０００７】
本発明は、岩盤の亀裂密度および飽和度を推定するための方法であって、岩盤におけるＳ波速度と亀裂密度との関係を表す第１の関係、Ｐ波速度と亀裂密度と飽和度との関係を表す第２の関係、比抵抗値と飽和度との関係を表す第３の関係をそれぞれ予め求めておき、推定対象の岩盤に対して弾性波トモグラフィおよび比抵抗トモグラフィによる計測と解析を行って岩盤のＳ波速度、Ｐ波速度、比抵抗値をそれぞれ測定し、Ｓ波速度の測定値から前記第１の関係に基づいて亀裂密度を算定し、亀裂密度の推定値とＰ波速度の測定値から前記第２の関係に基づいて飽和度の第１算定値を算定するとともに、比抵抗値の測定値から前記第３の関係に基づいて飽和度の第２算定値を算定し、それら第１算定値と第２算定値とを比較してその差が一定範囲を越えている場合には前記第１〜第３の関係を微修正しつつ第１算定値と第２算定値の算定を繰り返してその差を一定範囲内に収斂させることを特徴とする。
【発明の効果】
【０００８】
本発明によれば、弾性波トモグラフィおよび比抵抗トモグラフィを基本とする解析手法により亀裂密度と飽和度とを広範囲にわたって推定することが可能であり、弾性波トモグラフィおよび比抵抗トモグラフィの双方によってそれぞれの特性を生かした総合的な評価が可能であるから、それぞれを単独で実施する場合の推定手法に較べて推定精度をより向上させることが可能である。
【発明を実施するための最良の形態】
【０００９】
図１〜図４を参照して本発明の推定方法の実施形態を説明する。本実施形態の推定方法は図１にフローチャートとして示すように、推定対象の岩盤に対して観測ボーリング孔等を用いた通常の２次元的あるいは３次元的な弾性波トモグラフィと比抵抗トモグラフィによる計測と解析を行うことにより、岩盤のＳ波速度、Ｐ波速度、比抵抗値をそれぞれ測定し、それらの測定値に基づいて岩盤の亀裂密度と飽和度とを推定することを基本とするものであるが、本実施形態では岩盤におけるＳ波速度、Ｐ波速度、比抵抗値、亀裂密度、飽和度の相互関係を予め求めておいて、それらの関係に基づいて、Ｓ波速度とＰ波速度と比抵抗値の測定値から亀裂密度と飽和度とを推定することを主眼としている。
【００１０】
すなわち、一般に岩盤におけるＳ波速度は岩盤内の亀裂の存在の影響を受けるものであって、図２に示すように亀裂密度ρが大きくなるほどＳ波速度は小さくなって単位長さ当たりの走時Ｔｓは長くなり、したがってこの関係（第１の関係）を予め実験ないし既往の研究成果により求めておくことにより、弾性波トモグラフィによる走時Ｔｓの測定値から亀裂密度ρを推定することができる。なお、Ｓ波は剪断波であることから飽和度の影響は受けない。
【００１１】
また、岩盤におけるＰ波速度についてはＳ波速度と同様に岩盤の亀裂の影響を受けるが、同時に岩盤の飽和度の影響も受けるものであり、一般にはＰ波走時Ｔｐと亀裂密度ρと飽和度Ｓｗとの間には、図３に示すように亀裂密度ρをパラメータとする関係、すなわち飽和度Ｓｗが大きくなるほどＰ波速度は大きくなって走時Ｔｐは短くなり、また亀裂密度ρが大きくなるほど走時Ｔｐが長くなるという関係があり、したがってこの関係（第２の関係）を予め実験ないし既往の研究成果により求めておくことにより、弾性波トモグラフィによる走時Ｔｐの測定値と、走時Ｔｓの測定値から上記第１の関係によって求めた亀裂密度ρの値とから、飽和度Ｓｗを算定することができる（この手法で算定する飽和度の算定値を第１算定値とする）。
【００１２】
さらに、岩盤の比抵抗値は岩盤の飽和度の影響を受け、一般には飽和度が大きくなると比抵抗値は小さくなる。したがって、予め飽和度と比抵抗値との関係（第３の関係）を実験ないし既往の研究成果により求めておけば、比抵抗トモグラフィによる比抵抗値の計測値からも飽和度Ｓｗを算定することができる（この手法で算定する飽和度の算定値を第２算定値とする）。なお、比抵抗値は電気伝導度の逆数であるので、上記の第３の関係を図４に示すような飽和度と電気伝導度ηとの関係に変換して求めておき、比抵抗トモグラフィによる比抵抗値の計測値から電気伝導度ηを算定し、その算定値から飽和度Ｓｗを算定することでも良い。
【００１３】
以上の手順で求める飽和度についての第１算定値と第２算定値は理論的には合致するべきものであるが、上記の第１〜第３の関係の設定が完全に適切でない場合には差が生じることが想定される。そこで、第１算定値と第２算定値とに予め設定した一定範囲を超えるような差が生じた場合には、上記第１〜第３の関係を微修正して再算定を行い、双方の算定値の誤差が設定範囲内に収斂するまで（双方の算定値がほぼ合致するまで）再算定を繰り返せば良い。すなわち、トモグラフィ解析による観測値から解析モデルを改良してその観測値を最も良く説明するように最適化していくインバージョン解析手法によって、最終的な推定値を決定すれば良い。
【００１４】
以上の推定手法によれば、弾性波トモグラフィおよび比抵抗トモグラフィを基本とする計測および解析手法によって亀裂密度と飽和度とを広範囲にわたって高精度で推定することが可能であり、弾性波トモグラフィおよび比抵抗トモグラフィの双方によってそれぞれの特性を生かした総合的な評価が可能であるので、それぞれを単独で実施する場合の推定手法に較べて推定精度をより向上させることが可能である。
【００１５】
なお、本発明は上記実施形態で例示したような水封式の岩盤内貯蔵施設に対して適用するのみならず、様々な目的の地盤調査や各種の地下構造物の計画に際して広く適用できるものであることは言うまでもない。
【図面の簡単な説明】
【００１６】
【図１】本発明の実施形態である推定方法のフローチャートである。
【図２】亀裂密度とＳ波速度（Ｓ波走時）との関係を示す図である。
【図３】亀裂密度と飽和度とＰ波速度（Ｐ波走時）との関係を示す図である。
【図４】飽和度と比抵抗値（電気伝導度）との関係を示す図である。
【図５】水封式の岩盤内圧力貯蔵施設の概念図である。
【符号の説明】
【００１７】
１  岩盤タンク
Ｔｓ  Ｓ波走時
Ｔｐ  Ｐ波走時
ρ  亀裂密度
Ｓｗ  飽和度
η  電気伝導度
【図１】
2006234740.tif 000003
【図２】
2006234740.tif 000004
【図３】
2006234740.tif 000005
【図４】
2006234740.tif 000006
【図５】
2006234740.tif 000007